(57)【要約】【課題】各手指の関節を容易に折り曲げることを可能にするガンカット型の縫製手袋を提供する。【解決手段】  ガンカット型の縫製手袋１は、伸縮性を有する甲側パーツ１０、掌側パーツ２０、親指パーツ３０とが縫合されて構成される。甲側パーツ１０は、手指の第１関節に対応する第１関節位置と第２関節に対応する第２関節位置との間に、その長手方向において前記第１関節位置及び前記第２関節位置よりも幅が小さい第１くびれ部１５ａを有し、前記第２関節位置と第３関節に対応する第３関節位置との間に、その長手方向において前記第２関節位置及び前記第３関節位置よりも幅が小さい第２くびれ部１５ｂを有している。【選択図】図１
2019218657.tif 000002
【特許請求の範囲】
【請求項１】
伸縮性を有する掌側パーツと甲側パーツとを備えるガンカット型の縫製手袋において、
前記掌側パーツ及び前記甲側パーツの何れか一方のみが、手指の第１関節に対応する第１関節位置と第２関節に対応する第２関節位置との間に、その長手方向において前記第１関節位置及び前記第２関節位置よりも幅が小さい第１くびれ部を、前記第２関節位置と第３関節に対応する第３関節位置との間に、その長手方向において前記第２関節位置及び前記第３関節位置よりも幅が小さい第２くびれ部を、それぞれ有しており、
前記第１くびれ部及び前記第２くびれ部に沿って前記掌側パーツと前記甲側パーツとが縫合されてなることを特徴とする、縫製手袋。
【請求項２】
前記甲側パーツが、前記第１くびれ部及び前記第２くびれ部を有している、
請求項１に記載の縫製手袋。
【請求項３】
前記掌側パーツ及び前記甲側パーツには、手指の第３関節から先端に対応する位置において、縫合位置を合わせるための位置合わせ指標部が複数設けられており、
前記掌側パーツにおける複数の位置合わせ指標部間の第１の距離が、当該複数の位置合わせ指標部に対応する前記甲側パーツにおける複数の位置合わせ指標部間の第２の距離よりも小さくなっている、
請求項１又は２に記載の縫製手袋。
【発明の詳細な説明】
【技術分野】
【０００１】
本発明は、ガンカット型の縫製手袋に関する。
【背景技術】
【０００２】
装着者が各手指を容易に折り曲げることができるように、各手指を収容する指袋の構造が工夫されたガンカット型の縫製手袋が従来提案されている。例えば、特許文献１には、指の第１関節部分及び第２関節部分に対応する手袋の関節部位に、掌側に向けて湾曲した形状を有するサブパーツを縫合してなる縫製手袋が開示されている。この縫製手袋の場合、装着者がサブパーツの形状に沿って各手指を折り曲げることになるため、その動作が容易となる。
【先行技術文献】
【特許文献】
【０００３】
【特許文献１】特開２０１４−１２２４５３号公報
【発明の概要】
【発明が解決しようとする課題】
【０００４】
しかしながら、上述した従来の縫製手袋の場合、各サブパーツを縫合するという手間が発生するため、高コスト化を招くという問題が生じる。
【０００５】
本発明は、かかる事情に鑑みてなされたものであり、上述した課題を解決することができるガンカット型の縫製手袋を提供することを目的とする。
【課題を解決するための手段】
【０００６】
上記課題を解決するため、本発明の一の態様の縫製手袋は、伸縮性を有する掌側パーツと甲側パーツとを備えるガンカット型の縫製手袋において、前記掌側パーツ及び前記甲側パーツの何れか一方のみが、手指の第１関節に対応する第１関節位置と第２関節に対応する第２関節位置との間に、その長手方向において前記第１関節位置及び前記第２関節位置よりも幅が小さい第１くびれ部を、前記第２関節位置と第３関節に対応する第３関節位置との間に、その長手方向において前記第２関節位置及び前記第３関節位置よりも幅が小さい第２くびれ部を、それぞれ有しており、前記第１くびれ部及び前記第２くびれ部に沿って前記掌側パーツと前記甲側パーツとが縫合されてなることを特徴とする。
【０００７】
上記態様において、前記甲側パーツが、前記第１くびれ部及び前記第２くびれ部を有していてもよい。
【０００８】
また、上記態様において、前記掌側パーツ及び前記甲側パーツには、手指の第３関節から先端に対応する位置において、縫合位置を合わせるための位置合わせ指標部が複数設けられており、前記掌側パーツにおける複数の位置合わせ指標部間の第１の距離が、当該複数の位置合わせ指標部に対応する前記甲側パーツにおける複数の位置合わせ指標部間の第２の距離よりも小さくなっていてもよい。
【発明の効果】
【０００９】
本発明によれば、簡易な構成で各手指部分の折り曲げを容易にすることができる。
【図面の簡単な説明】
【００１０】
【図１】実施の形態１の縫製手袋の全体構成を示す斜視図。
【図２】実施の形態１の縫製手袋の全体構成を示す正面図。
【図３】実施の形態１の縫製手袋の全体構成を示す背面図。
【図４】実施の形態１の縫製手袋の全体構成を示す左側面図。
【図５】実施の形態１の縫製手袋の全体構成を示す右側面図。
【図６】実施の形態１の縫製手袋の全体構成を示す平面図。
【図７】実施の形態１の縫製手袋の全体構成を示す底面図。
【図８】実施の形態１の縫製手袋を構成する甲側パーツの概略構成図。
【図９】実施の形態１の縫製手袋を構成する掌側サブパーツの概略構成図。
【図１０】実施の形態１の縫製手袋を構成する掌側サブパーツの概略構成図。
【図１１】実施の形態１の縫製手袋の側面を模式的に示す図。
【発明を実施するための形態】
【００１１】
以下、本発明の好ましい実施の形態を、図面を参照しながら説明する。なお、以下に示す各実施の形態は、本発明の技術的思想を具体化するための方法及び装置を例示するものであって、本発明の技術的思想は下記のものに限定されるわけではない。本発明の技術的思想は、特許請求の範囲に記載された技術的範囲内において種々の変更を加えることができる。
【００１２】
（実施の形態１）
［縫製手袋の構成］
図１は、実施の形態１のガンカット型の縫製手袋の全体構成を示す斜視図である。また、図２乃至図７はそれぞれ、同じく全体構成を示す正面図、背面図、左側面図、右側面図、平面図及び底面図である。なお、これらの図２乃至図７においては、本実施の形態における特徴的な構成を実線で示しており、その他の構成は破線で示している。また、一点鎖線は、その特徴的な構成と他の構成との境界を示す線である。
【００１３】
図１乃至図７に示すように、縫製手袋１は、甲側パーツ１０と、掌側パーツ２０と、親指パーツ３０と、袖部４０と、ベルト部５０とを備えている。甲側パーツ１０、掌側パーツ２０、及び親指パーツ３０は、伸縮性を有する生地で構成されている。この生地としては、天然皮革、人工皮革、及び合成皮革等、種々のものを採用することができる。
【００１４】
甲側パーツ１０において手の甲に対応する位置には、その幅方向に平行して延びる２本のジグザグ状のステッチ６０が形成されている。このステッチ６０により、甲側パーツ１０の弛みを防止することができる。
【００１５】
甲側パーツ１０の人差し指、中指、薬指及び小指の第１関節（遠位指節間関節）に対応する位置（以下「第１関節位置」という）と第２関節（近位指節間関節）に対応する位置（以下「第２関節位置」という）との間には第１くびれ部１５ａが、また、第２関節位置と第３関節（中手指節間関節）に対応する位置（以下「第３関節位置」という）との間には第２くびれ部１５ｂが設けられている。これらの第１くびれ部１５ａ及び第２くびれ部１５ｂの詳細については後述する。
【００１６】
掌側パーツ２０は、人差し指及び小指の掌側を収容する部分を有する掌側サブパーツ２０ａと、中指及び薬指の掌側を収容する部分を有する掌側サブパーツ２０ｂとで構成されている。
【００１７】
袖部４０及びベルト部５０は、手首部分を囲繞して固定するための部材である。袖部４０は、ゴム糸が編み込まれた伸縮性を有する生地で構成されており、ベルト部５０は、甲側パーツ１０等と同様に天然皮革等で構成されている。袖部４０及びベルト部５０は、面ファスナーにより連結する。より具体的には、ベルト部５０の裏面には面ファスナーのフック部が設けられている。他方、袖部４０における当該フック部に対応する位置には、面ファスナーのループ部が設けられている。これらのフック部及びループ部により、ベルト部５０の袖部４０に対する取り付け位置を調整することができる。
【００１８】
縫製手袋１は、甲側パーツ１０、掌側パーツ２０、親指パーツ３０、袖部４０及びベルト部５０が所定の手順で互いに縫合されることにより製作される。なお、袖部４０は、甲側パーツ１０、掌側パーツ２０、及び親指パーツ３０の手首側の端縁に沿って縫合される。また、ベルト部５０は、掌側パーツ３０の手首側の側縁に沿って縫合される。これらの袖部４０及びベルト部５０の縫合については、公知のものと同様であるので、詳細な説明を省略する。
【００１９】
甲側パーツ１０、掌側パーツ２０、及び親指パーツ３０は、それらの端縁同士が縫い合わせられる。したがって、上記の第１くびれ部１５ａ及び第２くびれ部１５ｂにおいても、その形状に沿って甲側パーツ１０と掌側パーツ２０とが縫合される。
【００２０】
また、甲側パーツ１０、掌側パーツ２０、及び親指パーツ３０については、各パーツに設けられた縫合位置を合わせるための位置合わせ指標部（以下、単に「指標部」という）を用いてが縫い合わせられる。なお、縫製手袋１は、人差し指から小指までの各手指の指袋部分が予め掌側に屈曲している。この形状を実現するために、本実施の形態では、甲側パーツ１０に設けられた複数の指標部間の距離と、それらの指標部と対応して掌側パーツ２０に設けられている複数の指標部間の距離とを異ならせている。以下、各パーツの詳細について説明する。
【００２１】
［甲側パーツの構成］
図８は甲側パーツ１０の概略構成図である。図８に示すように、甲側パーツ１０は、人差し指の甲側を収容する甲側人差し指部分１１、中指の甲側を収容する甲側中指部分１２、薬指の甲側を収容する甲側薬指部分１３、及び小指の甲側を収容する甲側小指部分１４を有している。
【００２２】
甲側人差し指部分１１、甲側中指部分１２、甲側薬指部分１３、及び甲側小指部分１４にはそれぞれ、第１くびれ部１５ａ及び第２くびれ部１５ｂが形成されている。第１くびれ部１５ａは、第１関節位置１６ａと第２関節位置１６ｂとの間に設けられ、第１関節位置１６ａ及び第２関節位置１６ｂよりも長手方向における幅が小さくなっている。また、第２くびれ部１５ｂは、第２関節位置１６ｂと第３関節位置１６ｃとの間に設けられ、第２関節位置１６ｂ及び第３関節位置１６ｃよりも長手方向における幅が小さくなっている。換言すると、甲側パーツ１０においては、第１関節位置１６ａ、第２関節位置１６ｂ、及び第３関節位置１６ｃが、各関節位置間よりもその幅が大きくなっている。なお、本実施の形態において、第１関節位置１６ａ、第２関節位置１６ｂ、及び第３関節位置１６ｃの幅は同一である。ただし、第２関節位置１６ｂの幅を最も大きくする等、これらの幅を異ならせてもよい。
【００２３】
甲側パーツ１０の外縁の所定の位置には、三角突起状の指標部ａ１〜ｈ１が形成されている。このうち、指標部ａ１及びｈ１は、手首側の適宜の位置に設けられており、それ以外の指標部ｂ１〜ｇ１は、上記の各手指の収容部分１１〜１４に設けられている。具体的には、指標部ｂ１及びｃ１が、甲側人差し指部分１１の第３関節位置１６ｃ及び先端に対応する位置に、指標部ｆ１及びｇ１が、甲側小指部分１４の先端に対応する位置及び第３関節のやや先端よりに対応する位置に、それぞれ設けられている。また、指標部ｄ１及びｅ１が、甲側中指部分１２及び甲側薬指部分１３の先端に対応する位置に、それぞれ設けられている。
【００２４】
［掌側パーツの構成］
図９は掌側サブパーツ２０ａの概略構成図、図１０は掌側サブパーツ２０ｂの概略構成図である。図９に示すように、掌側サブパーツ２０ａは、人差し指の掌側を収容する掌側人差し指部分２１及び小指の掌側を収容する掌側小指部分２２を有している。なお、掌側人差し指部分２１及び掌側小指部分２２の下端部にある符号２３は、切り込みを示している。
【００２５】
掌側サブパーツ２０ａの外縁の所定の位置には、三角突起状の指標部ａ２〜ｃ２及びｆ２〜ｈ２が形成されている。このうち、指標部ａ２及びｈ２は、手首側の適宜の位置に設けられている。他方、指標部ｂ２及びｃ２は、掌側人差し指部分２１の第３関節及び先端に対応する位置に、指標部ｆ２及びｇ２は、掌側小指部分２２の先端に対応する位置及び第３関節のやや先端よりに対応する位置に、それぞれ設けられている。
【００２６】
また、図４に示すように、掌側サブパーツ２０ｂは、中指の掌側を収容する掌側中指部分２４及び薬指の掌側を収容する掌側薬指部分２５を有している。なお、掌側中指部分２４と掌側薬指部分２５との間の符号２６は、切り込みを示している。
【００２７】
掌側サブパーツ２０ｂの外縁において、掌側中指部分２４の先端に対応する位置には指標部ｄ２が、掌側薬指部分２５の先端に対応する位置には指標部ｅ２が、それぞれ設けられている。
【００２８】
なお、掌側サブパーツ２０ａ及び２０ｂには、甲側パーツ１０に設けられている第１くびれ部１５ａ及び第２くびれ部１５ｂのようなくびれ状の部位は設けられていない。つまり、くびれ状の部位は甲側パーツ１０のみに設けられている。
【００２９】
［くびれ部における縫合］
上述したとおり、甲側パーツ１０における第１くびれ部１５ａは、第１関節位置１６ａ及び第２関節位置１６ｂよりも長手方向における幅が小さい。そのため、この第１くびれ部１５ａと掌側パーツ２０における当該第１くびれ部１５ａに対応する位置（以下「第１くびれ部対応位置」という）とが縫い合わせられる場合、甲側パーツ１０における第１関節位置１６ａ及び第２関節位置１６ｂのそれぞれと掌側パーツ２０における第１関節位置及び第２関節位置とが縫い合わせられるときよりも、掌側パーツ２０が幅方向に多く引っ張られることになる。その結果、掌側パーツ２０における第１くびれ部対応位置は、第１関節位置及び第２関節位置と比べて幅方向により伸長した状態で甲側パーツ１０に縫合される。これにより、第１くびれ部対応位置においては装着者の各手指にフィットする一方、第１関節位置及び第２関節位置においては第１くびれ部対応位置よりも幅方向における締め付けが緩やかであるため、第１関節及び第２関節を容易に折り曲げることが可能になる。
【００３０】
同様に、甲側パーツ１０における第２くびれ部１５ｂは、第２関節位置１６ｂ及び第３関節位置１６ｃよりも長手方向における幅が小さい。そのため、この第２くびれ部１５ｂと掌側パーツ２０における当該第２くびれ部１５ｂに対応する位置（以下「第２くびれ部対応位置」という）とが縫い合わせられる場合、甲側パーツ１０における第２関節位置１６ｂ及び第３関節位置１６ｃのそれぞれと掌側パーツ２０における第２関節位置及び第３関節位置とが縫い合わせられるときよりも、掌側パーツ２０が幅方向に多く引っ張られることになる。その結果、掌側パーツ２０における第２くびれ部対応位置は、第２関節位置及び第３関節位置と比べて幅方向により伸長した状態で甲側パーツ１０に縫合される。これにより、第２くびれ部対応位置においては装着者の各手指にフィットする一方、第２関節位置及び第３関節位置においては第２くびれ部対応位置よりも幅方向における締め付けが緩やかであるため、第２関節及び第３関節を容易に折り曲げることが可能になる。
【００３１】
上記のとおり、甲側パーツ１０に第１くびれ部１５ａ及び第２くびれ部１５ｂを設けることにより、甲側パーツ１０及び掌側パーツ２０の端縁同士を縫い合わせるだけで、第１乃至第３関節を容易に折り曲げることが可能な縫製手袋を得ることができる。そのため、従来よりも低コストで、作業用・スポーツ用等に適した縫製手袋を製造することが可能になる。
【００３２】
なお、上記のように、甲側パーツ１０における第１関節位置１６ａ及び第２関節位置１６ｂは、第１くびれ部１５ａよりも幅が大きく余裕があるため、掌側パーツ２０と縫い合わせられたとき、第１くびれ部１５ａと比べて甲側に若干隆起した状態となる。同様に、甲側パーツ１０における第２関節位置１６ｂ及び第３関節位置１６ｃは、第２くびれ部１５ｂよりも幅が大きく余裕があるため、掌側パーツ２０と縫い合わせられたとき、第２くびれ部１５ｂと比べて甲側に若干隆起した状態となる。その結果、手指の各関節を折り曲げたときに生じる、各指袋部分による各関節の甲側の圧迫を抑制することができるため、作業性の向上を図ることができる。
【００３３】
［指標部間の距離の関係］
甲側パーツ１０に設けられている指標部ａ１〜ｈ１は、掌側パーツ２０に設けられている指標部ａ２〜ｈ２とそれぞれ縫い合わせられる。ここで、掌側パーツ２０における指標部ａ２及びｂ２間、並びに指標部ｇ２及びｈ２間の距離は、甲側パーツ１０における指標部ａ１及びｂ１間、並びに指標部ｇ１及びｈ１間の距離とそれぞれ同一である。他方、掌側パーツ２０における指標部ｂ２及びｃ２間、並びに指標部ｆ２及びｇ２間の距離は、甲側パーツ１０における指標部ｂ１及びｃ１間、並びに指標部ｆ１及びｇ１間の距離よりも小さくなっている。本実施の形態の場合、指標部ｂ２及びｃ２間、並びに指標部ｆ２及びｇ２間の距離は、指標部ｂ１及びｃ１間、並びに指標部ｆ１及びｇ１間の距離の９０％となっている。
【００３４】
上記のように構成された掌側サブパーツ２０ａ及び２０ｂが縫い合わせられることにより掌側パーツ２０が得られ、その後、その掌側パーツ２０と甲側パーツ１０とが縫い合わせられる。掌側パーツ２０及び甲側パーツ１０が縫い合わせられる際、指標部ａ１とａ２、ｂ１とｂ２、ｃ１とｃ２、ｄ１とｄ２、ｅ１とｅ２、ｆ１とｆ２、ｇ１とｇ２、ｈ１とｈ２が、それぞれ縫い合わせられる。ここで、上述したように、指標部ｂ２及びｃ２間、並びに指標部ｆ２及びｇ２間の距離は、指標部ｂ１及びｃ１間、並びに指標部ｆ１及びｇ１間の距離の９０％となっているため、人差し指及び小指を収容する部分において、甲側パーツ１０が掌側に引っ張られた状態で縫い合わされることになる。
【００３５】
また、掌側中指部分２４の第３関節から先端（指標部ｄ２が設けられている部位）までの距離は  甲側中指部分１２の第３関節から先端（指標部ｄ１が設けられている部位）までの距離の９０％となっている。同様に、掌側薬指部分２５の第３関節から先端（指標部ｅ２が設けられている部位）までの距離も、甲側薬指部分１３の第３関節から先端（指標部ｅ１が設けられている部位）までの距離の９０％となっている。そのため、中指及び薬指を収容する部分においても、甲側パーツ１０が掌側に引っ張られた状態で縫い合わされることになる。
【００３６】
なお、詳細な説明は省略するが、上述したようにして縫合された甲側パーツ１０及び掌側パーツ２０に対して、親指パーツ３０が縫い合わせられる。その後、上述したとおり袖部４０及びベルト部５０が甲側パーツ１０、掌側パーツ２０及び親指パーツ３０に対して縫合されることにより、縫製手袋１が得られる。
【００３７】
図１１は、縫製手袋１の側面を模式的に示す図である。なお、図１１において、符号Ａ及びＢは、指標部ａ１及びａ２並びに指標部ｂ１及びｂ２の位置をそれぞれ示している。上述したように、甲側パーツ１０が掌側に引っ張られた状態で縫い合わせられるため、図１１に示すとおり、人差し指から小指までの各手指を収容する指袋部分が掌側に向けて屈曲することになる。これにより、装着者による各手指の折り曲げがより一層容易になる。
【００３８】
本実施の形態では、上記のとおり甲側パーツ１０に設けられた複数の指標部間の距離と、それらの指標部と対応して掌側パーツ２０に設けられている複数の指標部間の距離とを異ならせているが、従来の縫製手袋の場合と同様にこれらの距離を同一にしてもよい。その場合、人差し指から小指までの各手指を収容する指袋は、掌側に向けて予め屈曲することはなく直立した状態となるが、上記のとおり第１くびれ部１５ａ及び第２くびれ部１５ｂが設けられることにより各手指の第１乃至第３関節の折り曲げが用意となっているため、従来の縫製手袋と比べて作業性を向上させることができる。
【００３９】
また、本実施の形態では、人差し指から小指までの各手指の第３関節に対応する位置に指標部を設けているが、これに代えて、各手指の他の関節に対応する位置に指標部を設けるようにしてもよい。また、これらのように各手指の関節に対応する位置には指標部を設けずに、他の位置に設けるようにしても構わない。但し、指標部が関節に対応する位置にある場合、当該位置において指袋部分を掌側に屈曲させることができるため、手指の折り曲げ動作をサポートする効果がより一層顕著となり、好ましい。
【００４０】
また、本実施の形態において、指標部ｂ２及びｃ２間、並びに指標部ｆ２及びｇ２間の距離は、指標部ｂ１及びｃ１間、並びに指標部ｆ１及びｇ１間の距離の９０％となっているが、本発明はこれに限定されるわけではない。甲側パーツ１０及び掌側パーツ２０の伸縮率及び縫製手袋１の用途等に応じて適した数値が採用される。但し、この比率が大きすぎると、手指の折り曲げ動作をサポートする等の効果が生じにくくなるため、９５％以下が好ましく、９０％以下がより好ましい。
【００４１】
また、本実施の形態においては、人差し指及び小指における第３関節及び先端に対応する位置に指標部がそれぞれ設けられているが、第３関節から先端までの間にさらに指標部が設けられていてもよい。具体的には、人差し指及び小指における第３関節、第１関節及び先端に対応する位置に指標部がそれぞれ設けられる構成等が想定される。
【００４２】
（実施の形態２）
実施の形態１では、甲側パーツ１０に第１くびれ部１５ａ及び第２くびれ部１５ｂが設けられているが、本発明はこれに限定されない。これらの第１くびれ部１５ａ及び第２くびれ部１５ｂと同様のくびれ状の部位を、掌側パーツにおける第１関節位置と第２関節位置との間及び第２関節位置と第３関節位置との間にそれぞれ設けるようにしてもよい。なお、この場合、甲側パーツにはくびれ状の部位は設けられない。
【００４３】
上記のとおり、掌側パーツにくびれ状の部位を設けた場合でも、当該部位においては装着者の各手指にフィットする一方で、第１乃至第３関節位置においては当該部位よりも幅方向における締め付けが緩やかとなるため、第１乃至第３関節を容易に折り曲げることが可能な縫製手袋を実現できる。
【００４４】
（その他の実施の形態）
上記の各実施の形態では、人差し指から小指までの各手指を収容する指袋部分にくびれ状の部位を設けているが、これに加えて親指を収容する指袋部分にも同様のくびれ状の部位を設けてもよい。
【００４５】
また、上記の各実施の形態では、指標部が三角突起状となっているが、これに限定されるわけではない。例えば、指標部が、半円突起状等の他の形状であってもよく、所定の形状が欠落した欠落部を指標部としてもよい。
【産業上の利用可能性】
【００４６】
本発明の縫製手袋は、作業用・スポーツ用のガンカット型の縫製手袋などとして有用である。
【符号の説明】
【００４７】
１  縫製手袋
１０  甲側パーツ
１１  甲側人差し指部分
１２  甲側中指部分
１３  甲側薬指部分
１４  甲側小指部分
１５ａ  第１くびれ部
１５ｂ  第２くびれ部
１６ａ  第１関節位置
１６ｂ  第２関節位置
１６ｃ  第３関節位置
２０  掌側パーツ
２０ａ  掌側サブパーツ
２１  掌側人差し指部分
２２  掌側小指部分
２０ｂ  掌側サブパーツ
２４  掌側中指部分
２５  掌側薬指部分
３０  親指パーツ
４０  袖部
５０  ベルト部
６０  ステッチ
ａ１〜ｈ１，ａ２〜ｈ２，ｊ１，ｋ１，ｊ２，ｋ２  位置合わせ指標部
【図１】
2019218657.tif 000003
【図２】
2019218657.tif 000004
【図３】
2019218657.tif 000005
【図４】
2019218657.tif 000006
【図５】
2019218657.tif 000007
【図６】
2019218657.tif 000008
【図７】
2019218657.tif 000009
【図８】
2019218657.tif 000010
【図９】
2019218657.tif 000011
【図１０】
2019218657.tif 000012
【図１１】
2019218657.tif 000013